(57)【要約】  【課題】  情報記録媒体の記録済みの領域におけるアドレス情報の取得を容易とする。  【解決手段】  光記録媒体に記録マークを形成するための記録ストラテジのパラメータを設定するにあたり、まず、光記録媒体毎に定められた記録ストラテジのパラメータを用いてテスト記録を行う。そして、形成された記録マークの読み取り結果に基づいて、アシンメトリ値が所定の範囲内となるようにパラメータを調整する。次に、アシンメトリ値が所定の範囲内となるような記録ストラテジのパラメータで形成された記録マークの読み取り結果に基づいて、変調度が所定の範囲内となるように再度パラメータを調整する。このようにして変調度の調整を行うことにより、光記録媒体に記録マークを適切な幅で形成することができる。  【選択図】  図１０
2006309828.tif 000002
【特許請求の範囲】
【請求項１】
情報記録媒体に対し、所定のパラメータに基づいて作成された光パルスを照射して当該情報記録媒体に記録マークを形成する第１のステップと、
前記情報記録媒体に形成された前記記録マークの読み取り結果に基づいてアシンメトリを求める第２のステップと、
前記アシンメトリが予め定められた範囲内にないときに、前記光パルスを形成するための前記所定のパラメータを調整する第３のステップと、
前記情報記録媒体に形成された、前記アシンメトリが前記予め定められた範囲内にある記録マークの読み取り結果に基づいて、変調度を求める第４のステップと、
前記変調度が所定の範囲内にないときに、前記光パルスを形成するための前記所定のパラメータを調整する第５のステップと
を含む情報記録方法。
【請求項２】
前記第１のステップでは、回転する前記情報記録媒体の外周部に設けられたテスト記録領域に前記記録マークを形成することを特徴とする請求項１記載の情報記録方法。
【請求項３】
前記第５のステップの後に、前記情報記録媒体に形成された、前記変調度が前記所定の範囲内にある前記記録マークの読み取り結果に基づいて、当該記録マークが形成された部位のアドレスに関するエラー情報を取得する第６のステップをさらに含むことを特徴とする請求項１記載の情報記録方法。
【請求項４】
前記第５のステップにおいて、前記変調度が前記所定の範囲の上限を超えた場合には、前記所定のパラメータの一つとして前記光パルスの出力期間を長くし、当該変調度が当該所定の範囲の下限を超えた場合には、当該光パルスの出力期間を短くすることを特徴とする請求項１記載の情報記録方法。
【請求項５】
前記光パルスの出力期間の調整量は、最短記録マークの１.６倍以上の長さの記録マークに対する調整量をΔＷｔとしたとき、当該最短記録マークおよび当該最短記録マークの１.６倍未満の長さの記録マークに対する調整量を当該ΔＷｔの１／６以下とすることを特徴とする請求項４記載の情報記録方法。
【請求項６】
前記第５のステップにおいて、前記変調度が前記所定の範囲の上限を超えた場合には、前記所定のパラメータの一つとして前記光パルスの発生タイミングを早くし、当該変調度が当該所定の範囲の下限を超えた場合には、当該光パルスの発生タイミングを遅くすることを特徴とする請求項１記載の情報記録方法。
【請求項７】
前記光パルスの発生タイミングの調整量は、最短記録マークの１.６倍以上の長さの記録マークに対する調整量をΔＷｔとしたとき、当該最短記録マークおよび当該最短記録マークの１.６倍未満の長さの記録マークに対する調整量を当該ΔＷｔの１／２以下とすることを特徴とする請求項６記載の情報記録方法。
【請求項８】
前記第１のステップにおいて、最短記録マークおよび当該最短記録マークの１.６倍未満の長さの記録マークを形成する際には、前記光パルスとして第１のパワーを有する単パルスを照射し、当該最短記録マークの１.６倍以上の長さの記録マークを形成する際には、当該第１のパワーを有するトップパルス、当該トップパルスに続き当該第１のパワーよりも弱い第２のパワーを有する中間バイアス、当該中間バイアスに続き当該第１のパワーを有するラストパルスを含むパルス群を照射することを特徴とする請求項１記載の情報記録方法。
【請求項９】
前記第５のステップにおいて、前記変調度が前記所定の範囲の上限を超えた場合には、前記所定のパラメータの一つとして前記第１のパワーを前記第２のパワーで除した値を大きくし、当該変調度が当該所定の範囲の下限を超えた場合には、当該第１のパワーを当該第２のパワーで除した値を小さくすることを特徴とする請求項８記載の情報記録方法。
【請求項１０】
情報記録媒体に光を照射して記録信号に応じた記録マークを形成する情報記録装置であって、
前記情報記録媒体に光を照射する光ヘッドと、
前記記録信号に基づいて記録パルス信号を生成し、当該記録パルス信号に基づいて前記情報記録媒体上に光パルスを照射するように前記光ヘッドを駆動する記録制御部と、
前記光ヘッドによって前記情報記録媒体に形成された記録マークの読み取り結果に基づいて得られる変調度が所定の範囲内となるように、前記記録パルス信号を生成するためのパラメータを調整するパラメータ調整部と
を含む情報記録装置。
【請求項１１】
前記パラメータ調整部は、前記光ヘッドによって前記情報記録媒体に形成された記録マークの読み取り結果に基づいて得られるアシンメトリが予め定められた範囲内となるように、前記記録パルス信号を生成するためのパラメータを調整した後に、前記変調度が前記所定の範囲内となるように当該パラメータを調整することを特徴とする請求項１０記載の情報記録装置。
【請求項１２】
前記パラメータ調整部は、記録パルスの長さ、当該記録パルスの発生および／または終了タイミング、および当該記録パルスの強度を、前記記録パルス信号を生成するためのパラメータとして調整することを特徴とする請求項１０記載の情報記録装置。
【請求項１３】
記録マークを形成するためのグルーブと、当該グルーブ間に形成されるランドと、当該グルーブと当該ランドとの境界に設けられ一定の周期で蛇行するウォブルグルーブとを有する情報記録媒体に光を照射して記録信号に応じた当該記録マークを形成する情報記録装置であって、
前記情報記録媒体に光を照射する光ヘッドと、
前記記録信号に基づいて記録パルス信号を生成し、当該記録パルス信号に基づいて前記情報記録媒体上に光パルスを照射するように前記光ヘッドを駆動する記録制御部と、
前記光ヘッドによって前記情報記録媒体の前記グルーブに形成される前記記録マークが前記ウォブルグルーブおよび前記ランドにはみ出さないように、前記記録パルス信号を生成するためのパラメータを調整するパラメータ調整部と
を含む情報記録装置。
【請求項１４】
前記パラメータ調整部は、前記光ヘッドによって前記情報記録媒体に形成された記録マークの長手方向に直交する方向の長さが所定の範囲内となるように、前記記録パルス信号を生成するための前記パラメータを調整することを特徴とする請求項１３記載の情報記録装置。
【請求項１５】
前記情報記録媒体の前記ランドに設けられたピットまたは前記ウォブルグルーブを読み取って得られたアドレス情報に基づいて、前記光ヘッドの位置および／または当該情報記録媒体の回転速度を制御する駆動制御部をさらに含むことを特徴とする請求項１３記載の情報記録装置。
【発明の詳細な説明】
【技術分野】
【０００１】
本発明は、情報記録媒体への情報記録方法および情報記録媒体に情報を記録する情報記録装置に係り、より詳しくは、情報記録媒体に対する記録条件の設定に関する。
【背景技術】
【０００２】
近年、高密度の情報記録媒体の一種として光記録媒体が実用化され、映像等の大量のデータを記録するため、記録・再生用のレーザ光の短波長化およびレーザ光のビームスポット径の小径化が進められている。このような光記録媒体として、例えば追記型のＤＶＤ−Ｒ(Digital Versatile Disc Recordable)が既に実用化されている。ＤＶＤ−Ｒは、基板上に光吸収層および光反射層を有しており、回転するＤＶＤ−Ｒの光吸収層に６３０〜６６０ｎｍのレーザ光を照射することによって、情報の記録および再生が行われる。ＤＶＤ−Ｒに対して情報の記録を行う際には、比較的高いパワーのレーザ光の照射が行われる。このように比較的高いパワーのレーザ光を照射された部位では、光吸収層が分解、爆発または溶融し、この部位が記録マークとなる。一方、レーザ光の照射が行われなかった部位では、光吸収層に変化がないため、この部位が記録マークのないスペースとなる。また、記録された情報の再生を行う際には、光吸収層を分解等させない程度の比較的低いパワーのレーザ光の照射が行われる。すると、記録マークとスペースとの反射率の差を利用して、光情報が読み出される。
【０００３】
このような光記録媒体に対する情報の記録を正確に行うためには、記録マークの書き込み位置を高精度に制御することが要求される。そこで、ＤＶＤ−Ｒには、予め、レーザ光を誘導するためのプリグルーブ(案内溝)と、レーザ光による記録位置を決めるためのアドレス情報としてのランドプリピット(Land Pre-Pit：ＬＰＰ)とが形成されている。これらのうち、プリグルーブは、ディスク上に短いピッチ(１μｍ以下)で螺旋状に形成されており、ＤＶＤ−Ｒの場合、記録マークの形成が行われるグルーブと記録マークの形成が行われないランドとを有している。また、プリグルーブにおいて、ランドとグルーブとの境界は、ディスクの半径方向に一定周期で蛇行するウォブルグルーブとなっている。一方、ランドプリピットは、プリグルーブのランド領域に所定の規則に従って配置されるピット(くぼみ)からなる(例えば特許文献１参照)。
【０００４】
ＤＶＤ−Ｒに情報を記録する情報記録装置では、照射されるレーザ光に対し、ウォブルグルーブからの反射光が一定の周波数となる(１倍速の場合：１４０ｋＨｚ)ことを利用し、検出されたウォブルグルーブ信号に基づいて、ディスク回転用のスピンドルモータの制御用信号や、ランドプリピットを検出するためのゲート信号の生成等が行われる。また、情報記録装置では、照射されるレーザ光に対し、ランドプリピットからの反射光が検出されるタイミング等に基づいて、記録のためのアドレス情報やその他の記録に必要な情報、さらにはデータ記録時の記録位置決めを行うための高精度の位置情報を取得している。したがって、情報の記録時には、これら二つの手法を組み合わせることにより、ランドプリピットが持っている位置情報(アドレス)を、ウォブルグルーブ信号により誤りなく検出することが可能となり、高精度に記録マークの書き込み位置を設定することができる。
【０００５】
また、この種の情報記録装置では、ＤＶＤ−Ｒ等の光記録媒体に、記録すべき情報に対応した記録マークを精度よく形成することが要求される。そこで、記録マークを精度よく形成するために、高パワーのレーザ光を一定強度で連続照射するのではなく、例えば高パワーのレーザ光を照射した後に一旦パワーを低下させ、パルス列として照射するレーザ光のプロファイルを用いた方法が広く用いられている。また、最近では、記録速度の高速化に対応して、第１のパワーでレーザ光を照射するトップパルス期間、このトップパルス期間に続き第１のパワーよりも弱い第２のパワーでレーザ光を照射する中間バイアス期間、この中間バイアス期間に続き再び第１のパワーでレーザ光を照射するラストパルス期間を含むようにレーザ光強度のプロファイルを構成することも提案されている。なお、この方法において、短い記録マークを形成する際には、単パルスからなるプロファイルを用いている。このようなレーザ光強度のプロファイルは記録ストラテジと呼ばれ、前者および後者の方法は、共にレーザ光を一定強度で連続照射する方法よりも光吸収層の熱蓄積が緩和されるため、記録マークの形状が不均一になりにくいという利点がある。また、パルス列の波形や長さ、あるいは、第１のパワーおよび第２のパワー、トップパルス期間、中間バイアス期間、およびラストパルス期間の長さを調整することにより、好ましい形状の記録マークを精度よく形成することも可能である。また、スペースに続く記録マークを形成するための記録ストラテジをそのスペースの長さに応じて異ならせることで、さらに精度のよい記録マークを形成することもできる。
【０００６】
このような記録ストラテジのパラメータは、光記録媒体の製造者毎および光記録媒体の種類毎にそれぞれ推奨値が決められており、このデータは例えば情報記録装置に設けられたメモリに格納されている。そして、情報記録装置に光記録媒体が装着されたときに、情報記録装置は、装着された光記録媒体の情報を取得するとともに、取得された光記録媒体に対応する記録ストラテジのパラメータをメモリから読み出し、その設定を行っている。また、光記録媒体自身に予め記録ストラテジのパラメータが記録されているものもあり(この情報はランドプリピットから取得される情報に含まれる)、この場合は、情報記録装置が、装着された光記録媒体から記録ストラテジのパラメータを読み出し、その設定を行うことになる。
【０００７】
ただし、実際の光記録媒体の諸特性は一枚毎に若干異なるため、メモリあるいは光記録媒体から読み出された記録ストラテジのパラメータを単に設定しただけでは、十分な記録品質を得られないという事態が生じ得る。そこで、ＤＶＤ規格では、データを記録するデータ領域とは別に例えばレーザ光のパワー等を校正するためのテスト記録を行う領域(ＰＣＡ：Power Calibration Area)を設け、実際のデータ記録を行う前にテスト記録を行うことができるようになっている(例えば特許文献２参照)。
【０００８】
【特許文献１】特開２００３−３４６３３７号公報(第４頁、図１)
【特許文献２】特開２００４−５５１１５号公報(第１１−１２頁、図５)
【発明の開示】
【発明が解決しようとする課題】
【０００９】
ところで、上述したＤＶＤ−Ｒでは、データ領域の一部領域にデータを記録し、後日さらに他の領域に別のデータを記録する「追記」を行うことが可能である。追記を行う際には、ＤＶＤ−Ｒにレーザ光を照射し、ウォブルグルーブおよびランドに形成されたランドプリピットを読み取ることによって、既にデータが記録された領域のアドレスを確認するとともに、データが記録されていない領域のアドレスを探査するといった動作が必要になる。
【００１０】
しかしながら、ＤＶＤ−Ｒに例えば標準速の１６倍といった高速でデータを記録し、その後データの追記を行おうとしたところ、既にデータが記録された記録済み領域においてランドプリピットが読み取りにくくなるという現象が発生した。具体的には、ランドプリピットが読み取りにくくなった結果として、記録後のアドレスエラーレートであるＢＬＥＲａ(BLock Error Rate after)の値が高くなってしまっていた。このようにしてＢＬＥＲａの値が高くなると、ＤＶＤ−Ｒのデータ領域等における位置情報の取得が困難となるため、他のデータの追記を行う際に他のデータの記録開始位置を探査することが難しくなってしまう。
【００１１】
ここで、上記特許文献１には、グルーブのうちランドプリピットに隣接する部位に記録マークが形成される場合に、レーザ光のパワーやパルス幅を通常とは異ならせる(例えば下げる)ことが記載されている。しかしながら、記録マークを形成するためのレーザ光のパワーやパルス幅を単に増減しただけでは、ランドプリピットに隣接する部位に形成される記録マークの形状が不安定となり、記録マークを読み取る際のエラーが増大するおそれがある。
また、上記特許文献２には、所定の記録ストラテジを用いて上記ＰＣＡにテスト記録を行い、テスト記録された記録マークを読み取った結果に基づいて、そのアシンメトリ値が目標範囲内に収まるように記録ストラテジのパラメータを調整することが記載されている。しかしながら、アシンメトリ値が目標範囲内となるようにパラメータの調整を行っただけでは、上記ＢＬＥＲａの値は改善されず、依然として記録済み領域における位置情報の取得は困難なままであった。
【００１２】
本発明は、かかる技術的課題を解決するためになされたものであって、その目的とするところは、情報記録媒体の記録済みの領域におけるアドレス情報の取得を容易とすることにある。
【課題を解決するための手段】
【００１３】
上記課題に対し、本発明者が鋭意検討を行ったところ、記録ストラテジの各パラメータが同一であったとしても、光記録媒体に対する記録速度を高速化していくと、形成される記録マークの長手方向に直交する方向の長さ(幅)が広がってしまうことを見出した。このように記録マークの幅が広がってしまうと、記録マークは、グルーブからはみ出してウォブルグルーブやランド(ランドに設けられるランドプリピットを含む)にも形成されることになる。このため、記録後のデータ領域では、アドレス情報が記録されたランドプリピットやウォブルグルーブを読み取ることが困難となり、上記ＢＬＥＲａの特性が低下してしまうことが判明した。記録マークの幅は、記録マークを形成するために照射されるレーザ光の変調度に応じて変化し、変調度が低い場合には狭くなり、変調度が高い場合には広くなる。そこで、本発明者は、記録マークを形成する際のレーザ光の変調度を適宜調整することにより、このようなＢＬＥＲａの低下を抑制できることを知見し、本発明を案出するに至った。
【００１４】
すなわち、本発明の情報記録方法は、情報記録媒体に対し、所定のパラメータに基づいて作成された光パルスを照射して情報記録媒体に記録マークを形成する第１のステップと、情報記録媒体に形成された記録マークの読み取り結果に基づいてアシンメトリを求める第２のステップと、アシンメトリが予め定められた範囲内にないときに、光パルスを形成するための所定のパラメータを調整する第３のステップと、情報記録媒体に形成された、アシンメトリが予め定められた範囲内にある記録マークの読み取り結果に基づいて、変調度を求める第４のステップと、変調度が所定の範囲内にないときに、光パルスを形成するための所定のパラメータを調整する第５のステップとを含んでいる。
【００１５】
ここで、第１のステップでは、回転する情報記録媒体の外周部に設けられたテスト記録領域に記録マークを形成することができる。また、第５のステップの後に、情報記録媒体に形成された、変調度が所定の範囲内にある記録マークの読み取り結果に基づいて、記録マークが形成された部位のアドレスに関するエラー情報を取得する第６のステップをさらに含むことができる。
【００１６】
さらに、第５のステップにおいて、変調度が所定の範囲の上限を超えた場合には、所定のパラメータの一つとして光パルスの出力期間を長くし、変調度が所定の範囲の下限を超えた場合には、光パルスの出力期間を短くすることができる。この場合に、光パルスの出力期間の調整量は、最短記録マークの１.６倍以上の長さの記録マークに対する調整量をΔＷｔとしたとき、最短記録マークおよび最短記録マークの１.６倍未満の長さの記録マークに対する調整量をΔＷｔの１／６以下とすることができる。
【００１７】
さらにまた、第５のステップにおいて、変調度が所定の範囲の上限を超えた場合には、所定のパラメータの一つとして光パルスの発生タイミングを早くし、変調度が所定の範囲の下限を超えた場合には、光パルスの発生タイミングを遅くすることができる。この場合に、光パルスの発生タイミングの調整量は、最短記録マークの１.６倍以上の長さの記録マークに対する調整量をΔＷｔとしたとき、最短記録マークおよび最短記録マークの１.６倍未満の長さの記録マークに対する調整量をΔＷｔの１／２以下とすることができる。
【００１８】
また、第１のステップにおいて、最短記録マークおよび最短記録マークの１.６倍未満の長さの記録マークを形成する際には、光パルスとして第１のパワーを有する単パルスを照射し、最短記録マークの１.６倍以上の長さの記録マークを形成する際には、第１のパワーを有するトップパルス、トップパルスに続き第１のパワーよりも弱い第２のパワーを有する中間バイアス、中間バイアスに続き第１のパワーを有するラストパルスを含むパルス群を照射することができる。ここで、第５のステップにおいて、変調度が所定の範囲の上限を超えた場合には、所定のパラメータの一つとして第１のパワーを第２のパワーで除した値を大きくし、変調度が所定の範囲の下限を超えた場合には、第１のパワーを第２のパワーで除した値を小さくすることができる。
【００１９】
また、装置のカテゴリから捉えると、本発明は、情報記録媒体に光を照射して記録信号に応じた記録マークを形成する情報記録装置であって、情報記録媒体に光を照射する光ヘッドと、記録信号に基づいて記録パルス信号を生成し、記録パルス信号に基づいて情報記録媒体上に光パルスを照射するように光ヘッドを駆動する記録制御部と、光ヘッドによって情報記録媒体に形成された記録マークの読み取り結果に基づいて得られる変調度が所定の範囲内となるように、記録パルス信号を生成するためのパラメータを調整するパラメータ調整部とを含んでいる。
【００２０】
ここで、パラメータ調整部は、光ヘッドによって情報記録媒体に形成された記録マークの読み取り結果に基づいて得られるアシンメトリが予め定められた範囲内となるように、記録パルス信号を生成するためのパラメータを調整した後に、変調度が所定の範囲内となるようにパラメータを調整することができる。また、パラメータ調整部は、記録パルスの長さ、記録パルスの発生および／または終了タイミング、および記録パルスの強度を、記録パルス信号を生成するためのパラメータとして調整することができる。
【００２１】
さらに、他の観点から捉えると、本発明は、記録マークを形成するためのグルーブと、グルーブ間に形成されるランドと、グルーブとランドとの境界に設けられ一定の周期で蛇行するウォブルグルーブとを有する情報記録媒体に光を照射して記録信号に応じた記録マークを形成する情報記録装置であって、情報記録媒体に光を照射する光ヘッドと、記録信号に基づいて記録パルス信号を生成し、記録パルス信号に基づいて情報記録媒体上に光パルスを照射するように光ヘッドを駆動する記録制御部と、光ヘッドによって情報記録媒体のグルーブに形成される記録マークがウォブルグルーブおよびランドにはみ出さないように、記録パルス信号を生成するためのパラメータを調整するパラメータ調整部とを含んでいる。
【００２２】
ここで、パラメータ調整部は、光ヘッドによって情報記録媒体に形成された記録マークの長手方向に直交する方向の長さが所定の範囲内となるように、記録パルス信号を生成するためのパラメータを調整することができる。また、情報記録媒体のランドに設けられたピットまたはウォブルグルーブを読み取って得られたアドレス情報に基づいて、光ヘッドの位置および／または情報記録媒体の回転速度を制御する駆動制御部をさらに含むことができる。
【発明の効果】
【００２３】
本発明によれば、例えば変調度が所定の範囲内となるように光パルスを形成するためのパラメータを設定するようにしたので、情報記録媒体の記録済みの領域におけるアドレス情報の取得を容易とすることができる。
【発明を実施するための最良の形態】
【００２４】
以下、添付図面を参照して、本発明を実施するための最良の形態(以下、実施の形態という)について詳細に説明する。
図１は本実施の形態が適用される情報記録方法および情報記録装置によって情報が記録される情報記録媒体としての光記録媒体１０(この例ではＤＶＤ−Ｒ)を説明するための図(断面図)である。
光記録媒体１０は、例えばポリカーボネート等の光透過性材料からなる基板１１と、有機色素を含有し基板１１上に積層された光吸収層１２とを備えている。また、光記録媒体１０は、光吸収層１２上に積層された光反射層１３および保護層１４とを備えている。ここで、基板１１には凹凸が形成されており、光吸収層１２、光反射層１３および保護層１４もこの凹凸に応じて形成されている。光記録媒体１０には、基板１１側から照射されるレーザ光１６により、情報の記録・再生が行われる。
【００２５】
基板１１の表面には、所定の高さを有するランドＬとランドＬ間に形成されるグルーブＧとが形成されている。また、光吸収層１２および光反射層１３も、ランドＬおよびグルーブＧの形状に対応して積層されている。グルーブＧは、光記録媒体１０の内周側の所定位置から外周側の所定位置まで螺旋状に連続形成されている。なお、これらランドＬおよびグルーブＧを合わせてプリグルーブ１５と呼ぶ。
【００２６】
基板１１は、記録光及び再生光の波長において光透過性材料であれば、種々の材料を使用することができる。例えば、ポリカーボネート樹脂、塩化ビニル系樹脂、ポリメタクリル酸メチル等のアクリル樹脂、ポリスチレン系樹脂、エポキシ系樹脂、酢酸ビニル樹脂、ポリエステル系樹脂、ポリエチレン系樹脂、ポリプロピレン系樹脂、ポリイミド系樹脂、非晶質ポリオレフィン等の高分子材料；ガラス等の無機材料等が挙げられる。これらの中でも、ポリカーボネート樹脂が好ましい。
【００２７】
光吸収層１２は、基板１１上に直接又は他の層を介して形成される。光吸収層１２の膜厚は、特に限定されないが、通常、プリグルーブ１５の底から測定して、４０ｎｍ〜１２０ｎｍである。光吸収層１２の形成方法としては、例えば、真空蒸着法、スパッタリング法、ドクターブレード法、キャスト法、スピナー法、浸漬法等、一般に行われている薄膜形成法が挙げられる。
光吸収層１２を形成する有機色素としては、通常、光ディスク分野において使用されている有機色素であれば特に限定されない。例えば、フタロシアニン色素、ナフタロシアニン色素、ポルフィリン色素等の大環状アザアヌレン系色素；シアニン色素、メロシアニン色素、スクワリリウム色素等のポリメチン系色素；更に、ピロメテン系色素、アントラキノン系色素、アズレニウム系色素、含金属アゾ系色素、含金属インドアニリン系色素等が挙げられる。
【００２８】
光反射層１３は、光吸収層１２の上に形成され、光反射層１３の厚さは、通常、８０ｎｍ〜３００ｎｍである。光反射層１３を形成する材料としては、例えば、Ａｕ、Ａｌ、Ａｇ、Ｃｕ、Ｔｉ、Ｃｒ、Ｎｉ、Ｐｔ、Ｔａ及びＰｄの金属を、単独又は合金にして用いることができる。光反射層１３を形成する方法としては、例えば、スパッタ法、イオンプレーティング法、化学蒸着法、真空蒸着法等が挙げられる。
【００２９】
保護層１４は、光反射層１３を保護するものであれば、材料は特に限定されない。例えば、有機物質としては、紫外線硬化性樹脂等を挙げることができる。また、無機物質としては、ＳｉＯ２、ＳｉＮ４、ＭｇＦ２、ＳｎＯ２等が挙げられる。紫外線硬化性樹脂としては、例えば、ウレタンアクリレート、エポキシアクリレート、ポリエステルアクリレート等のアクリレート系樹脂を用いることができる。
保護層１４の形成の方法としては、光吸収層１２と同様に、スピンコート法又はキャスト法等の塗布法、スパッタ法、化学蒸着法等の方法が用いられる。この中でもスピンコート法が好ましい。保護層１４の膜厚は、通常、３μｍ〜６μｍである。
尚、本実施の形態が適用される光記録媒体１０には、基板１１、光吸収層１２、光反射層１３及び保護層１４に加えて、必要に応じて他の層を設けることができる。
【００３０】
図２は、光記録媒体１０に設けられるランドＬおよびグルーブＧを説明するための図であり、図２(ａ)は光記録媒体１０を上部側から見た図、図２(ｂ)は、図２(ａ)のIIB−IIB断面図である。本実施の形態において、ランドＬおよびグルーブＧは、光記録媒体１０の半径方向に直交する方向(円周方向)に沿って交互に形成されている。本実施の形態における光記録媒体１０では、後述する記録マークが、グルーブＧに形成されることになる。ここで、各ランドＬと各グルーブＧとの境界には、ディスクの半径方向に一定周期(ＤＶＤ−Ｒの場合２５μｍ)で蛇行するウォブルグルーブＷＧが形成されている。また、ランドＬには、所定の規則に従ってランドプリピットＬＰＰが形成されている。なお、これらランドＬ、グルーブＧおよびランドプリピットＬＰＰは、光記録媒体１０の製造時に既に形成されている。
【００３１】
図３は、光記録媒体１０の記録領域Ｒの構造を示したものである。記録領域Ｒは、光記録媒体１０のディスク最内周側に設けられる記録情報管理領域Ｒ−Ｉｎｆｏを有している。この記録情報管理領域Ｒ−Ｉｎｆｏは、データの記録時にレーザパワーの校正を行うための第１のパワーキャリブレーション領域ＰＣＡ１と、第１のパワーキャリブレーション領域ＰＣＡ１の外側に設けられ、記録管理情報の保存領域であるレコーディングマネージメント領域ＲＭＡとを有している。また、記録領域Ｒは、記録情報管理領域Ｒ−Ｉｎｆｏの外側に設けられるリードイン領域Ｒｉｎと、リードイン領域Ｒｉｎの外側に設けられるユーザデータ領域ＤＡとを有している。さらに、記録領域Ｒは、ユーザデータ領域ＤＡの外側に設けられ、データの記録時にレーザパワーの校正を行うための第２のパワーキャリブレーション領域ＰＣＡ２と、第２のパワーキャリブレーション領域ＰＣＡ２の外側に設けられるリードアウト領域Ｒｏｕｔを有している。
【００３２】
この光記録媒体１０では、従来の光記録媒体(例えば４倍速までのＤＶＤ−Ｒ)とは異なり、記録領域Ｒの外側(外周部)にテスト記録領域としての第２のパワーキャリブレーション領域ＰＣＡ２が設けられている。これは、ＣＬＶ(Constant Linear Velocity )方式でデータを記録する場合、ディスクの内周側では高速記録を行うことが困難(この場合には後述するスピンドルモータ４０を非常に高速に回転させなければならない)であり、通常は、ディスクの外周側で高速記録を行うためである。
【００３３】
図４は、上述した光記録媒体１０にデータを記録し、また、光記録媒体１０に記録されたデータを再生する情報記録再生装置(情報記録装置)２０を説明するための図である。この情報記録再生装置２０は、光ヘッド３０、スピンドルモータ４０、記録制御部５０、再生制御部６０、サーボ制御部７０、および記録ストラテジ調整部８０を有している。
【００３４】
光ヘッド３０は、図示しないレーザダイオードを内蔵しており、光記録媒体１０に対して記録用のレーザ光１６および再生用のレーザ光１６を照射する。そして、光ヘッド３０では、記録用のレーザ光１６を照射する際、後述する記録制御部５０で作成された記録パルス信号に従って光パルスの照射を行う。また、光ヘッド３０は、図示しない光検出器を備えており、光記録媒体１０からの反射光を光電変換して出力している。スピンドルモータ４０は、光記録媒体１０を所定の速度で回転させる。記録制御部５０は、入力されてくる記録信号に基づき、光記録媒体１０への情報の記録を制御する。再生制御部６０は、光記録媒体１０に既に記録されている情報の再生を制御し、再生信号を出力する。サーボ制御部７０は、スピンドルモータ４０の回転を制御するスピンドルサーボおよび光ヘッド３０の光記録媒体１０に対する相対的位置制御であるフォーカシングサーボおよびトラッキングサーボを含む各種サーボを制御する。そして、記録ストラテジ調整部８０は、後述するように、所定の記録ストラテジに従い光ヘッド３０にて光記録媒体１０に記録された記録マークを読み取って得られた結果に基づいて、記録ストラテジの各種パラメータを調整する。
【００３５】
図５は、上述した情報記録再生装置２０のうち、記録制御部５０、再生制御部６０の構成をさらに詳述したブロック図である。
記録制御部５０は、図５(ａ)に示すように、８／１６変調回路５１と、記録波形発生回路５２と、レーザ駆動回路５３と、ＥＥＰＲＯＭ(Electrically Erasable and Programmable ROM)５４とを備えている。８／１６変調回路５１は、外部から入力される記録信号を８／１６変調して出力する。記録波形発生回路５２は、８／１６変調された記録信号に基づき、所定の記録ストラテジのパラメータに従って記録パルス信号を生成する。レーザ駆動回路５３は、生成された記録パルス信号に従って光ヘッド３０に設けられたレーザダイオードを駆動するための駆動信号を生成する。ＥＥＰＲＯＭ５４は、光記録媒体１０の製造者毎および光記録媒体１０の種類毎に予め設定された記録ストラテジのパラメータ(所定のパラメータ)を格納している。記録波形発生回路５２では、このＥＥＰＲＯＭ５４から対応する光記録媒体１０の記録ストラテジのパラメータを読み出し、これに基づいて記録パルス信号の生成を行う。また、記録波形発生回路５２は、設定された記録ストラテジのパラメータを、後述する記録ストラテジ調整部８０へと出力する。一方、後述するように、記録ストラテジ調整部８０によってより良い記録ストラテジのパラメータが求められた場合には、記録ストラテジ調整部８０から新たな記録ストラテジのパラメータが記録波形発生回路５２に入力される。そして、記録波形発生回路５２では、新たな記録ストラテジのパラメータに基づいて記録パルス信号の生成が行われる。また、８／１６変調回路５１には、後述する再生制御部６０より、８／１６変調信号の出力タイミング(記録マークの形成タイミングに対応)が入力される。
【００３６】
なお、本実施の形態では、ＥＥＰＲＯＭ５４に各種光記録媒体１０に対応する記録ストラテジのパラメータを格納しているため、例えばファームウェアのバージョンアップにより、記録ストラテジのパラメータを書き換える(更新する)ことができる。このため、ある光記録媒体１０に対し、より良いパラメータが見つかったとき、あるいは、新たな光記録媒体１０が発売されたときにも、ファームウェアのバージョンアップで対応することが可能である。
【００３７】
再生制御部６０は、図５(ｂ)に示すように、プリアンプ６１と、波形等化回路６２と、２値化回路６３と、８／１６復調回路６４と、アドレス情報検出回路６５とを備えている。プリアンプ６１は、光ヘッド３０から入力される読み取りＲＦ信号を所定のレベルまで増幅する。波形等化回路６２は、増幅された読み取りＲＦ信号の周波数特性を補正して出力する。２値化回路６３は、波形等化回路６２によって周波数特性が補正された読み取りＲＦ信号を２値化して出力する。８／１６復調回路６４は、２値化回路６３から出力される２値化されたディジタル信号を、８／１６復調することで再生信号として出力する。アドレス情報検出回路６５は、プリアンプ６１で増幅された読み取りＲＦ信号より、ウォブルグルーブＷＧに対応するウォブル信号およびランドプリピットＬＰＰに対応するＬＰＰ信号を取り出し、これらに基づいて光記録媒体１０上のアドレス情報を検出する。アドレス情報検出回路６５では、検出されたアドレス情報に基づいて、光記録媒体１０への記録マークの形成タイミングを計算し、記録制御部５０の８／１６変調回路５１に出力している。さらに、再生制御部６０では、プリアンプ６１にて所定のレベルまで増幅された読み取りＲＦ信号を、後述する記録ストラテジ調整部８０へと出力している。
【００３８】
図６は、上述した情報記録再生装置２０のうち、サーボ制御部７０、記録ストラテジ調整部８０の構成をさらに詳述したブロック図である。
駆動制御部としてのサーボ制御部７０は、図６(ａ)に示すように、フォーカシング誤差検出回路７１と、トラッキング誤差検出回路７２と、速度誤差検出回路７３とを備えている。フォーカシング誤差検出回路７１は、光ヘッド３０から入力される読み取りＲＦ信号に基づき、光ヘッド３０から入力される読み取りレーザ光のフォーカシング誤差を検出する。そして、フォーカシング誤差検出回路７１は、検出されたフォーカシング誤差に基づいて、光ヘッド３０の対物レンズ(図示せず)を移動させるアクチュエータ(図示せず)に対しフォーカシングサーボ信号を出力する。トラッキング誤差検出回路７２は、光ヘッド３０から入力される読み取り信号ＲＦに基づき、光ヘッド３０から入力される読み取りレーザ光のトラッキング誤差を検出する。そして、トラッキング誤差検出回路７２は、検出されたトラッキング誤差に基づいて、光ヘッド３０を光記録媒体１０の半径方向に移動させるトラッキングモータ(図示せず)に対しトラッキングサーボ信号を出力する。速度誤差検出回路７３は、光ヘッド３０から入力される読み取りＲＦ信号より、光記録媒体１０のウォブルグルーブＷＧ(図２参照)に対応して得られるウォブル信号を検出する。そして、速度誤差検出回路７３は、検出されたウォブル信号に基づいて、線速度を一定に維持するためのスピンドルサーボ信号を生成してスピンドルモータ４０に出力する。
【００３９】
記録ストラテジ調整部８０は、図６(ｂ)に示すように、特性評価部８１と、パラメータ調整部８２とを備えている。特性評価部８１は、再生制御部６０から入力されてくる、記録マークを読み取った結果に基づいて、記録マークの諸特性(特に本実施の形態ではアシンメトリおよび変調度)に関する評価を行う。ただし、ここでいう記録マークは、所定の記録ストラテジにて光ヘッド３０が光記録媒体１０に記録したものをいう。パラメータ調整部８２は、特性評価部８１による記録マークの評価結果が予め規定された条件を満たさなかった場合に、記録ストラテジのパラメータを調整し、その調整結果を記録制御部５０の記録波形発生回路５２(図５(ａ)参照)に出力する。
【００４０】
次に、光記録媒体１０に所定長さの記録マークを形成するための記録データと記録パルス信号の波形(記録パルス波形)との関係(記録ストラテジ)について詳細に説明する。本実施の形態では、光記録媒体１０に対し８／１６変調方式を用いて情報の記録を行っているため、光記録媒体１０には、３Ｔ〜１１Ｔおよび１４Ｔ(Ｔは基準クロックとなるチャネルクロックの周期)の記録マークが形成され得る。また、光記録媒体１０には、３Ｔ〜１１Ｔおよび１４Ｔの記録マークのない期間(スペース期間)も形成され得る。
【００４１】
図７は、上記３Ｔ〜１１Ｔおよび１４Ｔのうち、３Ｔ〜５Ｔ、８Ｔ、および１４Ｔの長さの記録マークおよびこれに対応する記録パルス波形を示している。図７に示すように、３Ｔおよび４Ｔの長さの記録マークを形成するための記録パルス波形は、後述する５Ｔ以上の場合とは異なり、中間バイアス部のない単一のパルスとなっている。一方、５Ｔ以上の長さの記録マークを形成するための記録パルス波形は、略凹字状であって、第１のパワーでレーザ光を照射するトップパルス、このトップパルスに続き第１のパワーよりも弱い第２のパワーでレーザ光を照射する中間バイアス、この中間バイアスに続き再び第１のパワーでレーザ光を照射するラストパルスを含んでいる。また、５Ｔより長い記録マークを形成するための記録パルス波形では、その長さに応じて中間バイアスの期間の長さが増加する。そして、トップパルスの期間およびラストパルスの期間については、多少の変化はあるものの、基本的には略一定である。
【００４２】
図８は、上述した記録パルス波形の詳細を説明するものであって、ここではｍＴ(ｍ＝３〜４、図の例では３Ｔ)およびｎＴ(ｎ≧５、図の例では６Ｔ)の長さの記録マークを形成するための記録パルス波形を例示している。なお、ｍＴに対応する記録パルス波形は、上述したように４Ｔ以下であることからトップパルス(単一パルス)９０で構成される。また、ｎＴに対応する記録パルス波形は、上述したように５Ｔ以上であることからトップパルス９１、中間バイアス９２、およびラストパルス９３で構成される。
【００４３】
ｍＴの記録データに対応するｍＴの記録マークを形成するための記録パルス波形において、トップパルス９０は第１のライトパワーＰ１を有しており、その出力期間はトップパルス期間ｍＴtopである。また、トップパルス期間ｍＴtopの発生タイミングは、調整期間ｍＴdtopで調整することが可能である。なお、この例では、トップパルス期間ｍＴtopの直前にリードパワーＰ３の期間が設けられている。
【００４４】
一方、ｎＴの記録データに対応するｎＴの記録マークを形成するための記録パルス波形において、トップパルス９１およびラストパルス９３は、第１のライトパワーＰ１を有しており、中間バイアス９２は第２のライトパワーＰ２を有している。ここで、第２のライトパワー９２は、第１のライトパワーＰ１よりも低く、リードパワーＰ３よりも高く設定される。また、トップパルス９１の出力期間はトップパルス期間ｎＴtopであり、ラストパルス９３の出力期間はラストパルス期間ｎＴlpである。さらに、トップパルス期間ｎＴtop、中間バイアス期間、およびラストパルス期間ｎＴlpの出力期間はパルス出力期間ｎＴwtである。したがって、中間バイアス期間は、ｎＴwt−ｎＴtop−ｎＴlpで表すことができる。
【００４５】
ここで、図９(ａ)は、情報記録再生装置２０により、異なる記録ストラテジのパラメータを用いて光記録媒体１０のグルーブＧに記録マークＭ(具体的にはＭ１、Ｍ２、Ｍ３)を形成した例を示している。また、図９(ｂ)は、記録マークＭ１の読み取りに伴って得られるRadial Push-Pull信号(ウォブル信号およびランドプリピット信号(ＬＰＰ信号))を示している。さらに、図９(ｃ)は記録マークＭ２、Ｍ３の読み取りに伴って得られるRadial Push-Pull信号を示している。なお、このRadial Push-Pull信号は、情報記録再生装置２０の再生制御部６０に設けられたアドレス情報検出回路６５(図５(ｂ)参照)で使用される。
ここで、ウォブル信号は、ウォブルグルーブＷＧを読み取ることによって得られる正弦波状の信号である。ウォブル信号は、例えばその周期(周波数)に基づいてスピンドルモータ４０の回転速度制御に使用される。また、ウォブル信号は、ランドプリピットＬＰＰを誤りなく検出するためのゲート信号の生成に使用される。一方、ＬＰＰ信号は、ランドプリピットＬＰＰを読み取ることによって得られるパルス状の信号である。ＬＰＰ信号は、光記録媒体１０上の位置(アドレス)を検出するために使用される。また、ＬＰＰ信号は、チャネルクロックＴの位相補正に使用することもできる。
【００４６】
ここで、図９(ａ)の左側に示す記録マークＭ１では、記録マークＭ１の長手方向に直交する方向の長さ(幅)が広くなりすぎている。このため、記録マークＭ１がウォブルグルーブＷＧやランドＬ(ランドＬに形成されるランドプリピットＬＰＰ)の一部を覆ってしまっている(はみ出している)。また、図９(ａ)の中央に示す記録マークＭ２では、記録マークＭ２の幅が適正であり、記録マークＭ２がウォブルグルーブＷＧやランドＬ(ランドＬに形成されるランドプリピットＬＰＰ)を覆っていない。さらに、図９(ａ)の右側に示す記録マークＭ３では、記録マークＭ１のようにウォブルグルーブＷＧやランドＬ(ランドＬに形成されるランドプリピットＬＰＰ)の一部を覆うことはないものの、マークの幅が狭くなりすぎている。
【００４７】
図９(ｂ)に示すように、幅の広い記録マークＭ１の読み取りに伴って得られるウォブル信号は、後述する記録マークＭ２、Ｍ３の読み取りに伴って得られるウォブル信号よりも振幅が小さくなり、あるいは歪む。これは、記録マークＭ１がウォブルグルーブＷＧまではみ出して形成されることにより、その箇所からの反射光強度が著しく低下するためである。ウォブル信号の振幅が小さくなると、その分、スピンドルモータ４０の回転速度制御やランドプリピットＬＰＰを検出するためのゲート信号の生成の精度が低下することになる。また、幅の広い記録マークＭ１の読み取りに伴って得られるＬＰＰ信号も、後述する記録マークＭ２、Ｍ３の読み取りに伴って得られるウォブル信号よりもピーク値が小さくなる。アドレス情報検出回路６５(図５(ｂ)参照)では、ＬＰＰ信号が閾値であるスライスレベルＳＬを超えたか否かに基づいて２値化を行い、ランドプリピットＬＰＰの有無を検出している。したがって、ＬＰＰ信号のレベルが低下すると、ＬＰＰ信号がスライスレベルＳＬを超えられないケースが生じ、この場合にはアドレスの検出が不可能になってしまう。
【００４８】
一方、図９(ｃ)に示すように、記録マークＭ２、Ｍ３の読み取りに伴って得られるウォブル信号は、上述した記録マークＭ１の読み取りに伴って得られるウォブル信号よりも振幅が大きくなる。したがって、スピンドルモータ４０(図４参照)の回転速度制御やランドプリピットＬＰＰを検出するためのゲート信号の生成の精度は向上する。また、記録マークＭ２、Ｍ３の読み取りに伴って得られるＬＰＰ信号も、上述した記録マークＭ１の読み取りに伴って得られるウォブル信号よりもピーク値が大きくなる。したがって、アドレスの検出も正確に行うことが可能になる。ただし、より幅の狭い記録マークＭ３では、確かに、ウォブル信号やＬＰＰ信号の検出精度は高まるものの、記録マークＭ３自体の読み取りが困難になり、データ信号のエラーが発生しやすくなってしまう。したがって、ウォブル信号やＬＰＰ信号の検出精度およびデータ信号の読み取り精度の両者を確保するには、光記録媒体１０に、適正な幅を有する記録マークＭ２を形成することが重要となる。
【００４９】
そこで、本実施の形態では、情報記録再生装置２０を用いて光記録媒体１０に実際にデータを記録する前に、種々のテスト記録を行って、適正な幅の記録マークＭを形成できるようにしている。具体的には、テスト記録を行いながら、アシンメトリおよび変調度が予め定められた条件を満たすように、記録マークＭを形成するための記録ストラテジにおけるパラメータの調整を行っている。
ここで、アシンメトリは、３Ｔ〜１１Ｔおよび１４Ｔのすべての記録マーク／スペースを記録した場合の再生信号(読み取りＲＦ信号)における短記録マーク／短スペースと長記録マーク／長スペースとのセンターレベルのずれ度合いを示すパラメータである。そして、アシンメトリの値が高いということは、上記センターレベルのずれ度合いが大きいということを意味する。
一方、変調度は、記録された記録マークＭを再生した場合の再生信号(読み取りＲＦ信号)の最大振幅を同じく再生信号(読み取りＲＦ信号)の最大値で除して得られるものであり、０〜１の範囲をとる。そして、変調度が低いということは、形成された記録マークＭが読み取りにくいものであること、具体的には例えば記録マークの幅Ｍが狭いということを意味する。
【００５０】
では、図１０に示すフローチャートを参照しながら、テスト記録動作における処理の全体的な流れを説明する。
情報記録再生装置２０に光記録媒体１０がセットされると、光ヘッド３０は光記録媒体１０の記録情報管理領域Ｒ−Ｉｎｆｏのレコーディングマネージメント領域ＲＭＡを読み取り、光記録媒体１０すなわちメディアのＩＤを取得する(ステップ１０１)。取得されたメディアのＩＤは、再生制御部６０から記録ストラテジ調整部８０を介して記録制御部５０に出力される。次に、記録制御部５０では、取得されたメディアのＩＤに対応する記録ストラテジの設定情報(パラメータ)をＥＥＰＲＯＭ５４から読み出し、読み出された記録ストラテジの設定情報を記録波形発生回路５２に設定する(ステップ１０２)。そして、設定された記録ストラテジの設定情報に基づき、光ヘッド３０を用いて光記録媒体１０に３Ｔ〜１４Ｔの記録マーク(テスト記録マーク)を作成する(ステップ１０３)。なお、テスト記録マークの作成にあたって、光ヘッド３０は光記録媒体１０の第２のパワーキャリブレーション領域ＰＣＡ２との対向位置まで移動しており、テスト記録マークは第２のパワーキャリブレーション領域ＰＣＡ２に設けられたグルーブＧに作成される。また、テスト記録マークの作成にあたっては、光記録媒体１０の記録位置における線速度が標準速の１６倍となるように、スピンドルモータ４０がサーボ制御されている。
【００５１】
次に、光ヘッド３０は、光記録媒体１０に形成された記録マークを読み取り、その読み取り結果に基づいて、記録ストラテジ調整部８０の特性評価部８１においてアシンメトリ値が計算される(ステップ１０４)。そして、求められたアシンメトリ値が規格の範囲内にあるか否か(具体的には−０.０５〜０.１５の範囲内にあるか否か)が判断される(ステップ１０５)。ここで、アシンメトリ値が規格の範囲内になかったときは、記録ストラテジ調整部８０のパラメータ調整部８２において、記録波形発生回路５２で使用されていた記録ストラテジ設定情報におけるレーザ光のパルス長さ、レーザ光の照射タイミング、および照射パワー等を適宜変更し(ステップ１０６)、記録波形発生回路５２に出力する。そして、ステップ１０３に戻り、前回とは異なる記録ストラテジ設定情報にて、再度記録マークの形成が行われる。なお、ステップ１０６で行われるアシンメトリ値調整のための記録ストラテジのパラメータの変更手法としては、従来の手順を採用することができる。
【００５２】
一方、ステップ１０５においてアシンメトリ値が規格の範囲内にあった場合は、次に、光記録媒体１０に形成された記録マークを読み取り、その読み取り結果に基づいて、特性評価部８１において変調度が計算される(ステップ１０７)。ただし、ステップ１０４において既に記録マークが読み取られている場合には、そのデータをそのまま使用して計算を行うことができる。そして、求められた変調度が許容範囲内にあるか否かが判断される(ステップ１０８)。なお、例えばＤＶＤ規格では、変調度が０.６０以上であることが要求されており、上限は設けられていないが、本実施の形態では、変調度の許容範囲に下限および上限が設けられている。この例では、下限が例えば０.６０に、上限が例えば０.８０に設定されている。ここで、変調度が許容範囲内になかったときには、パラメータ調整部８２において、記録波形発生回路５２で使用されていた記録ストラテジ設定情報におけるレーザ光のパルス長さ、レーザ光の照射タイミング、および照射パワー等を適宜変更し(ステップ１０９)、記録波形発生回路５２に出力する。この新たな記録ストラテジ設定情報は、記録波形発生回路５２に設定される。そして、設定された新たな記録ストラテジの設定情報に基づき、光ヘッド３０を用いて光記録媒体１０に再び３Ｔ〜１４Ｔの記録マーク(テスト記録マーク)を作成する(ステップ１１０)。なお、このときの光記録媒体１０における記録マークの形成位置は、前回の記録マークとは異なる位置である。そして、ステップ１０７に戻って処理を続行する。
【００５３】
一方、ステップ１０８において変調度が許容範囲内にあった場合は、次に、光記録媒体１０に形成された記録マークを読み取り、その読み取り結果に基づいて、記録ストラテジ調整部８０の特性評価部８１においてアシンメトリ値が計算される(ステップ１１１)。そして、求められたアシンメトリ値が規格の範囲内にあるか否かが判断される(ステップ１１２)。ここで、アシンメトリ値が規格の範囲内になかったときは、ステップ１０６に戻る。
【００５４】
他方、ステップ１１２においてアシンメトリ値が規格の範囲内にあった場合は、アシンメトリ値が規格の範囲内にあり、かつ、変調度が許容範囲内にある記録マークを読み取る際に得られた再生信号(読み取りＲＦ信号)に基づいて、特性評価部８１において記録後のアドレスエラーレートであるＢＬＥＲａの値が計算される(ステップ１１３)。つまり、アドレスに関するエラー情報が取得される。そして、求められたＢＬＥＲａの値が所定値(例えば１％)以下であるか否かが判断される(ステップ１１４)。ここで、ＢＬＥＲａの値が所定値を超えていた場合には、ステップ１０９に戻って処理を続行する。一方、ＢＬＥＲａの値が所定値以下であった場合は、この処理すなわちテスト記録の処理を終了する。そして、情報記録再生装置２０では、このようなプロセスで設定された記録ストラテジによって、光記録媒体１０に対する実際のデータの記録が行われることになる。
【００５５】
では、上述したステップ１０９で行われる処理の流れ、すなわち、変調度を許容範囲内に収めるために、記録ストラテジ調整部８０のパラメータ調整部８２にて行われる記録ストラテジのパラメータ調整プロセスを、図１１を参照しながら詳細に説明する。
変調度を共用範囲内に収めるための記録ストラテジのパラメータ調整においては、まず、ｎＴすなわち５Ｔ〜１４Ｔのパルス出力期間ｎＴwtが広げられる(ステップ２０１)。このとき、パルス出力期間ｎＴwtは徐々に広げられていき、その調整量はΔＷｔである。なお、ΔＷｔの値が大きくなりすぎると、例えば５Ｔの記録マークが６Ｔの記録マークとして読み取られることになってしまう。したがって、とり得るΔＷｔの大きさには上限がある。
【００５６】
次に、ｎＴすなわち５Ｔ〜１４Ｔのトップパルス期間ｎＴtopが狭められる(ステップ２０２)。このとき、トップパルス期間ｎＴtopは徐々に狭められていき、その調整量はΔｎｔｏｐである。なお、Δｎｔｏｐの値が大きくなりすぎると、トップパルス期間ｎＴtopが０になってしまう。このため、とり得るΔｎｔｏｐの大きさには上限がある。
【００５７】
次に、ｎＴすなわち５Ｔ〜１４Ｔのラストパルス期間ｎＴlpが広げられる(ステップ２０３)。このとき、ラストパルス期間ｎＴlpは徐々に広げられていき、その調整量はΔｎｌｐである。なお、Δｎｌｐの値が大きくなりすぎると、ラストパルス期間ｎＴlpが０になってしまう。このため、とり得るΔｎｌｐの大きさには上限がある。
次に、ｍＴすなわち３Ｔ、４Ｔのトップパルス期間ｍＴtopが広げられる(ステップ２０４)。このとき、トップパルス期間ｍＴtopは徐々に広げられていき、その調整量はΔｍｔｏｐである。なお、この例では、Δｍｔｏｐの上限を上記ΔＷｔの１／６以下としている。その理由は、Δｍｔｏｐがこれを超えるレベルになると、例えば３Ｔの記録マークが４Ｔの記録マークとして読み取られたり、あるいは、４Ｔの記録マークが５Ｔの記録マークとして読み取られたりするおそれがあるためである。このため、とり得るΔｍｔｏｐの大きさには上限がある。
【００５８】
次に、ｍＴすなわち３Ｔ、４Ｔの調整期間ｍＴdtopが早められる(ステップ２０５)。つまり、３Ｔ、４Ｔのトップパルス発生タイミングが早められる。このとき、トップパルス発生タイミングは徐々に早められていき、その調整量はΔｍｄｔｏｐである。なお、この例では、Δｍｄｔｏｐの上限を上記ΔＷｔの１／２以下としている。その理由は、Δｍｄｔｏｐがこれを超えるレベルになると、記録マークの形成位置が大きくずれてしまい、記録マークの前後のスペースが誤った大きさのスペースとして読み取られるおそれがあるためである。このため、とり得るΔｍｄｔｏｐの大きさには上限がある。
最後に、ｎＴすなわち５Ｔ〜１４Ｔにおける第１のライトパワーＰ１と第２のライトパワーＰ２との比であるＰ１／Ｐ２が大きくされる(ステップ２０６)。このとき、Ｐ１／Ｐ２は徐々に大きくされる。そして、Ｐ１／Ｐ２の比が決まると、一連の処理が終了する。
【００５９】
では、具体的な例をあげて、上述したテスト記録による変調度の調整およびこれに伴う記録後のアドレスエラーレートであるＢＬＥＲａの改善について説明する。なお、この例では、光記録媒体１０に高速(標準速の１６倍速)で情報の記録を行う。したがって、光記録媒体１０へのテスト記録は、図３に示す第２のパワーキャリブレーション領域ＰＣＡ２になされる。
(光記録媒体１０の作成)
まず、図１に示す構造の光記録媒体１０の各層構成を以下の通りに調整した。
厚さ０.６ｍｍのポリカーボネート樹脂製の基板１１上に、予め螺旋状にトラッキング用のプリグルーブ１５を形成した。プリグルーブ１５は、最内周半径２２ｍｍ、最外周半径５８ｍｍ、トラックピッチ０.７４μｍ、深さ１６５ｎｍ、溝幅３２０ｎｍである。
次に、プリグルーブ１５を形成した基板１１の表面に、アゾ系色素／テトラフルオロプロパノール溶液をスピンコート法により膜厚１２０ｍｍで塗布し、光吸収層１２を形成した。続いて、この光吸収層１２上にＡｇ合金をスパッタし、膜厚０.１４μｍの光反射層１３を成膜した。さらに、この光反射層１３上に、スピンコート法により紫外線硬化性樹脂を厚さ５μｍに塗布し、所定の光強度を有する紫外線を照射することにより紫外線硬化性樹脂を硬化させて保護層１４を設け、アゾ系色素からなる光吸収層１２を有する追記型の光記録媒体１０を調整した。
【００６０】
(テスト記録)
次に、図２に示す情報記録再生装置２０に上記光記録媒体１０をセットし、テスト記録を行った。なお、このテスト記録におけるアシンメトリの目標範囲は０±１％以内、変調度の許容範囲は０.７５〜０.８０とした。そして、光記録媒体１０の半径５８ｍｍの位置において、光記録媒体１０を標準速である３.４９ｍ/ｓの１６倍に相当する線速５５.８４ｍ/ｓのＣＬＶで回転させた。さらに、光ヘッド３０に設けられる開口数０.６０の対物レンズで波長６５９ｎｍのレーザ光１６を集光し、１チャネルクロック(Ｔ)を４.７８ｎｓｅｃとして、光記録媒体１０に３Ｔ〜１４Ｔの記録マークを作成した。
【００６１】
光記録媒体１０に３Ｔ〜１４Ｔの記録マークを作成するにあたっては、まず、光記録媒体１０に対応して定められた第１の記録ストラテジのパラメータ(以下の説明ではストラテジＡという)を用いた。ストラテジＡでは、第１のライトパワーＰ１を４９.５ｍＷに、第２のライトパワーＰ２を３４.１Ｗ(Ｐ１／Ｐ２＝１.４５)に、それぞれ設定した。また、記録パターンはランダムとした。表１に、ストラテジＡにおける各パラメータを示す。
【００６２】
【表１】
2006309828.tif 000003
【００６３】
このようにして光記録媒体１０に記録した記録マークを含む情報を、線速３.４９ｍ/ｓのＣＬＶで回転させ、リードパワーＰ３を０.８Ｗとして再生した。その結果、表２に示すように、ストラテジＡでは、ジッタは７.４１％、アシンメトリは１％と良好であったが、変調度が０.８３と大きく、ランドプリピットＬＰＰから得られる記録後のアドレスエラーレートであるＢＬＥＲａは５.４％と高かった。
【００６４】
【表２】
2006309828.tif 000004
【００６５】
次に、記録後のアドレスエラーレートであるＢＬＥＲａを改善するために、図６(ｂ)に示すパラメータ調整部８２において、図１０および図１１に示す処理を行って、パルス長さ、照射タイミング、照射パワーの調整を行った。その結果、表１に示すように、５Ｔ〜１４Ｔのパルス長さに対応するパルス出力期間ｎＴwtを０.６５Ｔだけ長くした。加えて、３Ｔのパルス長さに対応する３Ｔのトップパルス期間３Ｔtopを０.０７５Ｔだけ、また、４Ｔのパルス長さに対応する４Ｔのトップパルス期間４Ｔtopを０.０２５Ｔだけ長くした。さらに、３Ｔのトップパルス発生タイミングの調整期間３Ｔdtopを０.２００Ｔだけ、また４Ｔのトップパルス発生タイミングの調整期間４Ｔdtopを０.２５０Ｔだけ早くした。そして、第１のライトパワーＰ１と第２のライトパワーＰ２との比であるＰ１/Ｐ２を１.７５と大きくした。具体的には、第１のライトパワーＰ１を４７.３ｍＷに、第２のライトパワーＰ２を２７.０Ｗとした。なお、第１のライトパワーＰ１および第２のライトパワーＰ２の比を変更する場合には、第１のライトパワーＰ１の下げ量よりも第２のライトパワーＰ２の下げ量を大きくすることが好ましい。このようにして変更された第２の記録ストラテジのパラメータ(以下の説明ではストラテジＢという)に基づいて、上記ストラテジＡと同様にして光記録媒体１０に記録マークを作成した。なお、表１には、ストラテジＢにおける各パラメータも示している。
【００６６】
このようにして光記録媒体１０に記録した記録マークを含む情報を、線速３.４９ｍ/ｓのＣＬＶで回転させ、リードパワーＰ３を０.８Ｗで再生した。その結果、表２に示すように、ストラテジＢでは、ジッタは７.５２％、アシンメトリは−１％と良好なまま、変調度が０.８０と小さくなり、ランドプリピットＬＰＰから得られる記録後のアドレスエラーレートであるＢＬＥＲａは０.０％にまで低減した。
【００６７】
このように、本実施の形態では、変調度を適正な大きさまで低減させることにより、図９に示す形成される記録マークの幅が適切な範囲で狭くなり、記録マークがウォブルグルーブＷＧやランドＬ(ランドＬに形成されるランドプリピットＬＰＰを含む)にまではみ出すことが抑制されたと思量される。このため、記録後もランドプリピットＬＰＰの検出が容易となり、記録後のアドレスエラーレートであるＢＬＥＲａの値が著しく低下したものと考えられる。
【００６８】
なお、上述した例では、変調度の許容範囲を０.７５〜０.８０に設定していたが、これに限られるものではない。例えばＤＶＤ規格では、変調度が０.６０以上であることが定められている。従って、その下限値は、０.６０以上の値より適宜選択することができる。また、その上限値については、光記録媒体１０や情報記録再生装置２０の諸特性によって、適宜選択することができる。
【００６９】
以上説明したように、本実施の形態では、光記録媒体１０に記録マークを形成するための記録ストラテジのパラメータを設定するにあたり、変調度が所定の許容範囲内となるように調整を行うようにした。そして、変調度の調整を行うことにより、光記録媒体１０に記録マークを適切な幅で形成できるようにした。このため、例えば記録マークの幅が広すぎることにより、記録マークがランドＬ上のランドプリピットＬＰＰに形成されるのを抑えることができ、記録後のアドレスエラーレートＢＬＥＲａの値を下げることができる。これにより、光記録媒体１０の記録済みの領域においてもアドレスを容易に取得することが可能となり、光記録媒体１０に追記を行う際のアドレス探査が容易になる。一方、例えば記録マークの幅が狭すぎることにより、形成後の記録マークが読み取りにくくなり、読み取りエラーが生じるという事態も抑制することができる。したがって、光記録媒体１０のばらつきや情報記録再生装置２０にばらつきがあった場合にも、記録後のアドレス信号(ＬＰＰ信号)を安定的に取得することができる。
また、変調度を調整することにより、記録マークを適切な幅で形成できるようにしたので、形成された記録マークがウォブルグルーブＷＧにかかるのを抑えることができ、サーボ制御部７０によるスピンドルモータ４０の制御すなわち光記録媒体１０の回転速度制御を正確に行うことができる。
【００７０】
特に、本実施の形態では、まず、アシンメトリが規格範囲内に収まるように記録ストラテジのパラメータを調整し、その後、変調度が所定の許容範囲内に収まるように記録ストラテジのパラメータを再度調整するようにした。このようにして記録ストラテジのパラメータを得ることで、光記録媒体１０に安定した形状の記録マークを形成することが可能になる。そして、アシンメトリおよび変調度に対応する記録ストラテジのパラメータを得た後、さらに記録後のアドレスエラーレートであるＢＬＥＲａの評価を行うことで、書き込み品質の確認を行うことができる。
【００７１】
なお、本実施の形態では、光記録媒体１０としてＤＶＤ−Ｒを例に説明を行ったが、これに限られるものではない。すなわち、例えば上記ＤＶＤ−Ｒ等のようにアドレス情報をランドＬ上にランドプリピットＬＰＰとして形成するタイプの光記録媒体１０の他、例えば公知のＤＶＤ＋Ｒのように、アドレス情報をウォブルグルーブＷＧ中に埋め込む所謂ＡＤＩＰ(Address In Pre-groove)方式を採用したものに対しても、同様に適用することができる。
【００７２】
また、本実施の形態では、光記録媒体１０に対し標準速の１６倍速で記録を行っているために、第２のパワーキャリブレーション領域ＰＣＡ２にテスト記録を行っていたが、これに限られるものではない。すなわち、本実施の形態で説明した手法は、光記録媒体１０に対し標準速の８倍速以下で記録を行う場合においても有効であり、このような場合には、光記録媒体１０の内周部に設けられた第１のパワーキャリブレーション領域ＰＣＡ１にテスト記録が行われることになる。
【図面の簡単な説明】
【００７３】
【図１】本実施の形態が適用される情報記録方法および情報記録装置によって情報が記録される光記録媒体(ＤＶＤ−Ｒ)を説明するための図である。
【図２】光記録媒体に設けられるランドおよびグルーブを説明するための図であり、(ａ)は光記録媒体を上部側から見た図、(ｂ)は、(ａ)のIIB−IIB断面図である。
【図３】光記録媒体の記録領域の構造を示した図である。
【図４】光記録媒体にデータを記録し、また、光記録媒体に記録されたデータを再生する情報記録再生装置を説明するための図である。
【図５】(ａ)は記録制御部の構成を、(ｂ)は再生制御部の構成を、それぞれ説明する図である。
【図６】(ａ)はサーボ制御部の構成を、(ｂ)は記録ストラテジ調整部の構成を、それぞれ説明する図である。
【図７】記録すべきマーク長と対応する記録パルス波形との関係を示す図である。
【図８】５Ｔ〜１４Ｔの記録マークを形成する際に用いられる記録パルス波形の詳細を説明する図である。
【図９】(ａ)は形成される記録マークとグルーブ、ランドプリピットが受けるダメージとの関係を、(ｂ)は変調度が高すぎた場合におけるウォブル信号およびＬＰＰ信号を、(ｃ)は変調度が適切な場合および低すぎた場合におけるウォブル信号およびＬＰＰ信号を、それぞれ示す図である。
【図１０】テスト記録動作における処理の流れを示すフローチャートである。
【図１１】テスト記録動作において変調度を所定範囲内に収めるための記録ストラテジのパラメータ調整プロセスを示すフローチャートである。
【符号の説明】
【００７４】
１０…光記録媒体(ＤＶＤ−Ｒ)、１１…基板、１２…光吸収層、１３…光反射層、１４…保護層、１５…プリグルーブ、１６…レーザ光、２０…情報記録再生装置、３０…光ヘッド、４０…スピンドルモータ、５０…記録制御部、５１…８／１６変調回路、５２…記録波形発生回路、５３…レーザ駆動回路、５４…ＥＥＰＲＯＭ、６０…再生制御部、６１…プリアンプ、６２…波形等化回路、６３…２値化回路、６４…８／１６復調回路、７０…サーボ制御部、７１…フォーカシング誤差検出回路、７２…トラッキング誤差検出回路、７３…速度誤差検出回路、８０…記録ストラテジ調整部、８１…特性評価部、８２…パラメータ調整部
【図１】
2006309828.tif 000005
【図２】
2006309828.tif 000006
【図３】
2006309828.tif 000007
【図４】
2006309828.tif 000008
【図５】
2006309828.tif 000009
【図６】
2006309828.tif 000010
【図７】
2006309828.tif 000011
【図８】
2006309828.tif 000012
【図９】
2006309828.tif 000013
【図１０】
2006309828.tif 000014
【図１１】
2006309828.tif 000015